(57)【特許請求の範囲】
【請求項１】
モーターの回転により上下方向に直線往復運動する連結棒の動きで前記連結棒に枢着されたブレードが垂直面内を回動して風洞の出口端を開閉するシャッター機構を備えた電動シャッター付き換気装置であって、
前記モーターと前記連結棒とを垂直面内で屈伸するクランク機構で連結し、
前記クランク機構を介して前記モーターの動力を前記連結棒に伝達するようにし、
前記クランク機構と前記連結棒との枢着部に、ブレードを開放する側に前記クランク機構を回動させるように下方向へ押し下げるための横棒を設けた
電動シャッター付き換気装置。
【請求項２】
請求項１に記載の電動シャッター付き換気装置であって、
前記クランク機構に思案点規制構造を設けた
電動シャッター付き換気装置。
【請求項３】
請求項１又は請求項２に記載の電動シャッター付き換気装置であって、
前記シャッター機構を風洞の出口端側から同風洞に着脱できる内枠に組付けた
電動シャッター付き換気装置。
【発明の詳細な説明】
【０００１】
【発明の属する技術分野】
本発明は、建物の外壁等に設置して建物内の換気を行う電動シャッター付き換気装置に関するものである。
【０００２】
【従来の技術】
上記この種の電動シャッター付き換気装置は、送風機の運転とともに開成し、停止とともに閉成する開閉シャッター機構を備えている。開閉シャッター機構の多くは、ギヤードモーターの回転により上下方向に直線往復運動する二本の連結棒の動きで連結棒間に横架状に枢着された数枚のブレードが垂直面内を回動して風洞の出口端を開閉する構成が採られている。送風機の停止時にはシャッター機構もブレードが閉止状態にロックされ、風洞からの風雨の侵入が防止される。
【０００３】
【発明が解決しようとする課題】
上記した従来の電動シャッター付き換気装置においては、ギヤードモーターへの通電の切換えによって、ギヤードモーターに拘束されたまま各ブレードが回動して風洞の出口端を開閉するため、ブレードが閉止している状態で停電した場合にはシャッター機構は閉止したままで、給電が回復しないと開放させることはできない。
【０００４】
シャッター機構が閉止状態で停電という事態になっても、せめて自然換気は確保したいことがある。例えば、管理された室内環境下で作物を育成するハウス農法では、停電等で換気出来なくなった場合には、ハウス内環境が急速に悪化し、作物へのダメージは大変大きなものとなる。このような場合でも、少なくとも自然換気が確保できれば、作物へのダメージは軽減することができるが、これまでの電動シャッター付き換気装置では、手動によるブレードの開放はできず、シャッター機構が閉止状態で停電するといった不測の事態には対応することができなかった。
【０００５】
本発明は、係る従来の問題点を解決するためになされたものであって、その課題とするところは、停電においても必要に応じて開放できるシャッター機構を備えた電動シャッター付き換気装置を開発することであり、その換気装置のメンテナンス性や利便性の向上を推し進めることである。
【０００６】
【課題を解決するための手段】
前記課題を達成するために請求項1の発明は、モーターの回転により上下方向に直線往復運動する連結棒の動きで同連結棒に枢着されたブレードが垂直面内を回動して風洞の出口端を開閉するシャッター機構を備えた電動シャッター付き換気装置について、そのモーターと連結棒とを垂直面内で屈伸するクランク機構で連結し、クランク機構を介してモーターの動力を連結棒に伝達するようにする手段を採用する。
【０００７】
前記課題を達成するために請求項２の発明は、請求項１に係る前記手段におけるクランク機構に、思案点規制構造を設ける手段を採用する。
【０００８】
前記課題を達成するために請求項３の発明は、請求項１又は請求項２のいずれかに係る前記手段におけるクランク機構と連結棒との枢着部にクランク機構を、ブレードを開放する側に回動させる操作手段を設ける手段を採用する。
【０００９】
前記課題を達成するために請求項４の発明は、請求項１〜請求項３までのいずれかに係る前記手段におけるシャッター機構を、風洞の出口端側から風洞に着脱できる内枠に組付ける手段を採用する。
【００１０】
【発明の実施の形態】
実施の形態１．
図１〜図３によって示す本実施の形態は、電動シャッター付き換気装置に関するものであり、風洞１内に取付けられた送風機（図示しない）の運転とともに開成し、停止とともに閉成する開閉シャッター機構２を風洞１の出口端に備えている。開閉シャッター機構２は、ギヤードモーター３の回転により上下方向に直線往復運動する左右二本の連結棒４の動きで連結棒４間に横架状に枢着された数枚のブレード５が垂直面内を回動して風洞１の出口端を開閉する構成である。左右二本の連結棒４は、上下二本の横棒６で連結され、一方の連結棒４にギヤードモーター３の動力がクランク機構７を介して伝達されるようになっている。
【００１１】
クランク機構７は、一端が連結棒４を連結している下側の横棒６に枢着された従動側節８と、この従動側節８の他端に一端が枢着され、もう一端がギヤードモーター３の出力軸に連結された駆動側節９とにより構成され、垂直面内で屈伸してギヤードモーター３の回転運動を連結棒４の上下方向の直線運動に変換する。駆動側節９の従動側節８との枢着部側には、クランク機構７が思案点に達することを規制する思案点規制構造としてのストッパ１０が設けられ、ストッパ１０がブレード５の閉止状態において従動側節８に当たることにより、それ以上の回動が規制される。このとき、連結棒４はストロークの上端位置にある（図２参照）。
【００１２】
この電動シャッター付き換気装置は、電源の投入によって送風機及びギヤードモーター３に給電され、送風機の運転とともに各ブレード５が一斉に開成して風洞１を開放して換気が行われる。ブレード５の開成は、ギヤードモーター３の回転によりクランク機構７の駆動側節９が図２における時計回り方向に回動し、従動側節８との角度を狭めながら従動側節８を反時計回り方向に回動させ、従動側節８に枢着された連結棒４をストロークの下端位置まで引下げることにより行われる（図３参照）。
【００１３】
送風機への電源が切られると、送風機は停止し、ギヤードモーター３への通電が切換えられ、連結棒４がストロークの上端まで上げられて、図２に示すような開閉シャッター機構２が閉止状態になる。換気運転中であっても停止中であっても停電等により通電が絶たれると、開閉シャッター機構２は風洞１を開成又は閉止したままの状態となる。通常の建物内の換気を行っている電動シャッター付き換気装置であれば、停電により風洞１が閉止状態のままになってもさほど問題はないものの、管理された室内環境下で作物を育成するハウス農法などでは、停電等でブレード５が閉止したまま固定された場合には、ハウス内環境が急速に悪化し、作物へのダメージは大変大きなものとなることもある。このような場合でも、少なくとも自然換気が確保できれば、作物へのダメージは軽減することができる。
【００１４】
本実施の形態の電動シャッター付き換気装置では、このような場合、簡単にブレード５を開成させ風洞１を自然換気ができる状態にすることができる。即ち、横棒６を操作手段として手で押し下げてやればブレード５を開成させることができる。横棒６に加えられた下方への力は、従動側節８を反時計回りの方向に回動させる。従動側節８のこの動きによって、駆動側節９は時計回りの方向へギヤードモーター３との取付点を中心に回転し、開閉シャッター機構２が開放状態になる。開放させた開閉シャッター機構２を閉止させるには、開放時とは反対方向の力を横棒６に加えればよい。横棒６を操作手段として構成しているため、連結棒４に平等な力を加えやすく開閉シャッター機構２の手動による開閉操作がし易くなる。また、電動時でも手動時でもクランク機構７に思案点を回避するストッパ１０があるため、開閉シャッター機構２の開閉動作は円滑である。
【００１５】
実施の形態２．
図４に示す本実施の形態は、実施の形態１で示した電動シャッター付き換気装置にメンテナンス性の向上を図る工夫を講じたものであり、基本的構成は実施の形態１のものと同じである。従って、実施の形態１のものと同じ部分については実施の形態１のものと同じ符号を用いそれらについての説明は省略する。
【００１６】
本実施の形態の電動シャッター付き換気装置は、実施の形態１で示した開閉シャッター機構２が、風洞１の出口端側から風洞１に内嵌めし、ネジ等の固定手段１１によって着脱できる内枠１２に組付けられている。この構成を採ることにより、開閉シャッター機構２を内枠１２とともに室外側から取外すことができ、開閉シャッター機構２や風洞１内の送風機の羽根車やモーターのメンテナンスを行うことができる。ハウス栽培でのハウス内換気用に用いた場合、植栽されたハウス内からの保守点検は植栽を傷めたりするのでし辛いことが多いが、ハウスの外からメンテナンスができる本実施の形態の電動シャッター付き換気装置の利便性は高い。これ以外の機能は、実施の形態１のものと同じである。
【００１７】
【発明の効果】
請求項１の発明によれば、停電においても必要に応じて開放できるシャッター機構を備えた電動シャッター付き換気装置が得られる。
【００１８】
請求項２の発明によれば、請求項１に係る前記効果とともにクランク機構の動作が安定する。
【００１９】
請求項３の発明によれば、請求項１又は請求項２のいずれかに係る前記効果とともにシャッター機構の手動での開放操作がし易くなる。
【００２０】
請求項４の発明によれば、請求項１〜請求項３までのいずれかに係る前記効果とともにメンテナンス性や利便性が向上する。
【図面の簡単な説明】
【図１】  実施の形態１の電動シャッター付き換気装置の開閉シャッター機構部分の正面図である。
【図２】  実施の形態１の電動シャッター付き換気装置の開閉シャッター機構を閉止状態で示す部分側面図である。
【図３】  実施の形態１の電動シャッター付き換気装置の開閉シャッター機構を開成状態で示す部分側面図である。
【図４】  実施の形態２の電動シャッター付き換気装置の開閉シャッター機構を開放状態で示す部分側面図である。
【符号の説明】
１  風洞、  ２  開閉シャッター機構、  ３  ギヤードモーター、  ４  連結棒、  ５  ブレード、  ６  横棒、  ７  クランク機構、  １０  ストッパ、  １２  内枠。
【図１】
0004472899.tif 000002
【図２】
0004472899.tif 000003
【図３】
0004472899.tif 000004
【図４】
0004472899.tif 000005